(57)【要約】【課題】「穴開けゴト」が行われたことを簡単な構成によって容易に検出可能にするとともに、「穴開けゴト」を未然に防止可能な遊技機における不正対策装置を提供すること。【解決手段】不正対策装置は、遊技機１００又は２００の前面部（前面枠１０１又は前面扉部２０１）に１つの電気配線１１を有する電極シート１を配し、かつ、電気配線１１に微弱電流を流す通電手段２と、電気配線１１の通電状態の変化を監視する通電監視手段３とを備える。電気配線１１は、一筆書き状に密集して電極シート１に設けられる。電極シート１の両面は、絶縁体１２、１３でコーティングされる。【選択図】図１
2007319464.tif 000002
【特許請求の範囲】
【請求項１】
遊技機の前面部に一連の電気配線を有する電極シートを配し、かつ、前記電気配線に微弱電流を流す通電手段と、前記電気配線の通電状態の変化を監視する通電監視手段とを備えることを特徴とする遊技機における不正対策装置。
【請求項２】
前記電気配線は、一筆書き状に密集して前記電極シートに設けられていることを特徴とする請求項１に記載の遊技機における不正対策装置。
【請求項３】
前記電極シートの両面は、絶縁体でコーティングされていることを特徴とする請求項１又は２に記載の遊技機における不正対策装置。
【請求項４】
前記通電監視手段は、前記電気配線の通電状態の変化を検出したとき、異常検出信号を出力することを特徴とする請求項１〜３のいずれかに記載の遊技機における不正対策装置。
【請求項５】
前記電極シート上には、電気部品が実装されていないことを特徴とする請求項１〜４のいずれかに記載の遊技機における不正対策装置。
【発明の詳細な説明】
【技術分野】
【０００１】
本発明は、パチンコ機、スロットマシンなど遊技機において、遊技機の前面から穴をこじ開けて不正な出球、メダルを取り出す行為を未然に防止するための不正対策装置に関する。
【背景技術】
【０００２】
産業技術の発展に伴い、遊技機もコンピュータ制御化が進み、複雑なゲーム性や華美な装飾制御などが可能になっている。しかし、そのような技術の進歩の反面で遊技機に対する不正行為、不正改造等の技術も進歩しており、いわゆる「ゴト行為」といわれる様々な不正行為の手口が発見されている。
【０００３】
このような様々な不正行為に対して各社、それぞれの手口に有効な対策を施している。特許文献１及び２には「ゴト行為」に対する対応策の一例が開示されている。
【０００４】
中でも、昨今のホール営業の場で発見された不正行為の手口の１つとして、「穴開けゴト」と言われる、ハンダ鏝や電気ドリルなどを用いて遊技機の前面部に穴をこじ開け、その穴にピアノ線や針金、セルロイドの薄片などを挿入することで不正な出球、メダルを得るといった手口がある。このような手口は、専用の工具を必要とした大胆な犯行であると言わざるを得ないものであるが、遊技機の装飾部や操作部などのありとあらゆる外周部に実施ができてしまうものである。また、そもそも遊技機の外周部が破壊され内部に異物が挿入されるといったことを想定していない遊技機が多いため、このような「穴開けゴト」に対する早急な対応策が望まれている。
【特許文献１】特開２００１−３３７６０５公報
【特許文献２】特開２００５−４６６４６公報
【発明の開示】
【発明が解決しようとする課題】
【０００５】
本発明は、上記のような不正行為の中でも特に「穴開けゴト」に対する対応策として有効で、「穴開けゴト」が行われたことを簡単な構成によって容易に検出可能にするとともに、「穴開けゴト」を未然に防止可能な遊技機における不正対策装置を提供することを目的とする。
【課題を解決するための手段】
【０００６】
本発明の遊技機における不正対策装置は、遊技機の前面部に１つの電気配線を有する電極シートを配し、かつ、前記電気配線に微弱電流を流す通電手段と、前記電気配線の通電状態の変化を監視する通電監視手段とを備えることを特徴とする。ここで、前面部とは、遊技機の側面部、裏面部、上面部、下面部に対する用語であり、パチンコ遊技機の前面枠及びスロットマシンの前面扉部を含む。
【０００７】
本発明において、遊技機の前面部に対して「穴開けゴト」が行われていないときには、１つの電気配線は一定の通電状態に維持されるため、通電監視手段は、遊技機は正常状態に維持されていると判断する。一方、「穴開けゴト」が行われ、ハンダ鏝や電気ドリルなどで前面部に穴が開けられるとき、ハンダ鏝や電気ドリルの先端金属部によって１つの電気配線が途中でショートしたり断線したりして通電状態に変化が生じる。このため、通電監視手段は、この通電状態の変化を検出して遊技機に異常が発生したと判断することができる。
【０００８】
したがって、本発明によると、「穴開けゴト」が行われたことを簡単な構成によって容易に検出可能になる。また、遊技機にこのような対策が施されていることが知られることによって、「穴開けゴト」を未然に防止することも可能となる。
【０００９】
ここで、前記電気配線を一筆書き状に密集して前記電極シートに設けるようにすると、電気配線が施された領域の全体にわたって「穴開けゴト」を検出可能になる。
【００１０】
また、前記電極シートの両面を絶縁体でコーティングすると、ゴト師が「穴開けゴト」に先立って電気配線の短絡回路を作成する作業を困難にすることができる。
【００１１】
また、前記通電監視手段は、前記電気配線の通電状態の変化を検出したとき、異常検出信号を出力するものとすると、異常検出信号に基づいて遊技機から音や光を発生させて異常発生を周囲に報知したり、異常検出信号をホールコンピュータへ送信することによってホールの監視室において異常発生を知ることができる。
【００１２】
また、前記電極シート上に電気部品を実装しないようにすると、「穴開けゴト」が行われて電極シートが使用不能になり電極シートの交換が必要になった場合でも、電極シートのみの交換で済み、電気部品の交換は行わなく済むため、経済性に優れる。
【発明を実施するための最良の形態】
【００１３】
以下、本発明の実施形態を図面に基づいて説明する。
【００１４】
図１は、本発明の一実施形態に係る不正対策装置のブロック図、図２は、同不正対策装置が組み込まれるパチンコ遊技機の概略正面図、図３は、同パチンコ遊技機の上皿の概略平面図、図４は、同不正対策装置における電極シートの構成図、図５は、同不正対策装置における通電監視手段の処理内容を表したフローチャート、図６及び図７は、それぞれ変形例に係る電極シートの構成図、図８は、電極シートの断面図、図９は、不正対策装置が組み込まれるスロットマシンの概略正面図、図１０は、同スロットマシンの前面扉部の側面図、図１１は、同前面扉部の図９図示A-A切断線による要部断面構成図、図１２は、変形例に係る不正対策装置の構成図、図１３は、他の変形例に係る不正対策装置の構成図をそれぞれ示す。
【００１５】
図１において、不正対策装置は、後述するようにパチンコ遊技機１００又はスロットマシン２００つまり遊技機の前面部に配設される１つの電気配線１１を有する電極シート１と、この電極シート１に微弱電流を通電する通電手段２と、電極シート１の通電状態を監視する通電監視手段３と、この通電監視手段３が電極シート１の通電状態の変化を検出し、遊技機１００又は２００に異常が発生したと判断したとき、警報を発するスピーカ４及びランプ５と、同じく通電監視手段３が遊技機１００又は２００に異常が発生したと判断したとき、通電監視手段３から異常検出信号を受信するホールコンピュータ６とを備えて構成される。
【００１６】
上記不正対策装置をパチンコ遊技機１００に組み込む場合、図２及び図３に示すように、電極シート１は、前面枠１０１の裏面において上皿１０２の後壁部の前面１０２aと対面する領域に配置される。また、上記不正対策装置をスロットマシン２００に組み込む場合、図９〜図１１に示すように、電極シート１は、前面扉部２０１の装飾パネル２０２で覆われた蛍光灯など発光部材２０３の垂直取付板２０４の裏面に配設される。
【００１７】
電極シート１は、図４、図６又は図７に示すように一筆書き状に密集して平面上に設けられた電気配線１１を有し、電極シート１の両面は、図８に示すように、絶縁体１２、１３でコーティングされている。
【００１８】
次に、図５に基づいて通電監視手段３による処理を説明する。なお、図５に示す処理を行うにあたり、図１図示のランプ５は警告ランプ５Aと注意ランプ５Bの二種類のランプからなる。
【００１９】
図５において、通電監視手段３は、通電手段２による電極シート１への通電を開始させる（S1）。次に、電極シート１の電気配線１１における電流量及び電圧量の変化を周期的に繰り返し監視する（S2、S3）。
【００２０】
電気配線１１における電流量又は電圧量に変化があったと判断した場合、外部から電極シート１が変形もしくは破損するような不正行為が加えられ遊技機１００又は２００に異常が発生したと判断し、異常状態が継続する時間つまり異常状態時間を計測開始する（S4）。
【００２１】
異常状態時間が所定時間例えば１０秒間以上続いた場合（S5）、通電監視手段３は、遊技機１００又は２００に対して「穴開けゴト」が行われたと判断し、ホールコンピュータ６に異常警告情報換言すると異常検出信号を出力し（S6）、また、警告ランプ５Aを点灯させ（S7）、さらに、スピーカ４から警告音を出力し（S8）、処理を終了する。
【００２２】
一方、異常状態時間が１０秒に満たなかった場合（S5）、通電監視手段３は、遊技機１００又は２００に異常が発生した可能性があると判断し、ホールコンピュータ６に注意情報換言すると注意喚起信号を出力し（S9）、また、注意ランプ５Bを点灯させ（S10）、処理を終了する。
【００２３】
以上説明したように、本実施形態に係る不正対策装置は、遊技機１００又は２００の前面部（前面枠１０１又は前面扉部２０１）に１つの電気配線１１を有する電極シート１を配し、かつ、電気配線１１に微弱電流を流す通電手段２と、電気配線１１の通電状態の変化を監視する通電監視手段３とを備える。
【００２４】
遊技機１００又は２００の前面部１０１又は２０１に対して「穴開けゴト」が行われていないときには、１つの電気配線１１は一定の通電状態に維持されるため、通電監視手段３は、遊技機１００又は２００は正常状態に維持されていると判断する。一方、「穴開けゴト」が行われ、ハンダ鏝や電気ドリルなどで前面部１０１又は２０１に穴が開けられるとき、ハンダ鏝や電気ドリルの先端金属部によって１つの電気配線１１が途中でショートしたり断線したりして通電状態に変化が生じる。このため、通電監視手段３は、この通電状態の変化を検出して遊技機に異常が発生したと判断することができる。
【００２５】
したがって、本実施形態によると、「穴開けゴト」が行われたことを簡単な構成によって容易に検出可能になる。また、遊技機１００又は２００にこのような対策が施されていることが知られることによって、「穴開けゴト」を未然に防止することも可能となる。
【００２６】
電気配線１１は、一筆書き状に密集して電極シート１に設けられる。このため、電気配線１１が施された領域の全体にわたって「穴開けゴト」を検出可能になる。また、電極シート１は薄型であり可撓性を有するため、汎用性が高く任意の部位に取り付け可能である。上述した実施形態では、電極シート１は、パチンコ遊技機１００の前面枠１０１の裏面において上皿１０２の後壁部の前面１０２aと対面する領域、及び、スロットマシン２００の前面扉部２０１の装飾パネル２０２で覆われた蛍光灯など発光部材２０３の垂直取付板２０４の裏面に配設される。パチンコ遊技機１００の上皿１０２の裏面近傍には、賞球払出口や発射レールなどの遊技機１００が直接的に関与する部位が配設されているだけでなく、上皿１０２の上方に隣接して遊技領域が存在するため、本実施形態は、この上皿１０２に穴をこじ開けそこから針金やピアノ線、セルロイドなどの板片を挿入し、遊技領域まで侵入させるといった手口に対抗する手段として有効である。また、スロットマシン２００の多くは、前面の装飾パネル２０２の裏面近傍に、ホッパーと呼ばれるコイン払出装置が配設されており、このホッパーに対して異物を外部から挿入することにより誤作動を誘発し不正にコインを入手するような手口が見受けられる。こういった手口に対し、従来のようにスロットマシン２００の隙間からの異物の挿入を阻止するという対策だけでは不十分であり、スロットマシン２００そのものに穴をこじ開けその穴から異物を挿入するといった場合を想定した対策が望まれ、本実施形態はこの対策として有効である。また、パチンコ遊技機１００、スロットマシン２００ともに、プリペイドカードや、いわゆるクレジット手段と呼ばれるような電子的な遊技媒体計数手段などの操作部を誤作動させることにより不正に遊技媒体を入手するような手口もあることから、遊技媒体計数手段の近傍に本実施形態を配設することも有効な手段となる。
【００２７】
また、電極シート１の両面は、絶縁体１２、１３でコーティングされる。このため、この電極シート１の表面に銅線や金属などにより新たな短絡回路を形成しようとしてもコーティング層を剥離させる作業が困難であるばかりでなく、電極シート１は薄板状に構成されているため作業の途中で電極シート自体が破れてしまい回路が切断されてしまう可能性が高い。すなわち、電極シート１の両面を絶縁体でコーティングすることにより、不正行為の検出率が高まる。
【００２８】
また、通電監視手段３は、電気配線１１の通電状態の変化を検出したとき、異常検出信号を出力するため、異常検出信号に基づいて遊技機１００又は２００からスピーカ４やランプ５によって音や光を発生させて異常発生を周囲に報知することができる。また、異常検出信号をホールコンピュータ６へ送信するよってホールの監視室において異常発生を知ることができる。
【００２９】
また、電極シート１上に電気部品を実装しないようにすると、「穴開けゴト」が行われて電極シート１が使用不能になり電極シート１の交換が必要になった場合でも、電極シート１のみの交換で済み、電気部品の交換は行わなく済むため、経済性に優れる。
【００３０】
図１２において、変形例に係る不正対策装置は、通電監視手段３としてPNPトランジスタ３１を備える。PNPトランジスタ３１のエミッタには、５Vの直流電圧が印加される。ベース・エミッタ間には、バイアス抵抗３２が接続される。ベースには、一端に５Vの直流電圧が印加された電極シート１の電気配線１１の他端が接続される。コレクタには、ランプ５としての発光ダイオードが接続される。
【００３１】
遊技機１００又は２００の前面部１０１又は２０１に対して「穴開けゴト」が行われていないときには、PNPトランジスタ３１はオフ状態に維持され、発光ダイオード５に電流が流れないため、発光ダイオード５は発光しない。一方、「穴開けゴト」が行われ、電気配線１１が断線すると、バイアス抵抗３２を介してベース電流が流れ、PNPトランジスタ３１はオフ状態へスイッチング動作を行い、発光ダイオード５に電流が流れて発光ダイオード５は発光する。この発光ダイオード５の発光により、「穴開けゴト」が行われたことを周囲に知らせることができる。
【００３２】
図１３において、他の変形例に係る不正対策装置は、通電監視手段３として、NPNトランジスタ３３とマイクロコンピュータ（マイコン）３４とを備える。NPNトランジスタ３３のコレクタには、５Vの直流電圧が印加され、また、コレクタはマイコン３４の入力ポートに接続される。ベース・エミッタ間には、バイアス抵抗３５が接続される。ベースには、一端に５Vの直流電圧が印加された電極シート１の電気配線１１の他端が接続される。
【００３３】
遊技機１００又は２００の前面部１０１又は２０１に対して「穴開けゴト」が行われていないときには、バイアス抵抗２５に電流が流れ、NPNトランジスタ３３はオン状態に維持され、マイコン３４の入力ポートには低レベル電圧が入力される。一方、「穴開けゴト」が行われ、電気配線１１が断線すると、バイアス抵抗３５に電流が流れなくなり、NPNトランジスタ３３はオフ状態へスイッチング動作を行う。このため、マイコン３４の入力ポートの入力電圧は高レベルに反転する。マイコン３４は、入力ポートの入力電圧が高レベルに反転すると、出力ポートから異常検出信号を図１図示のスピーカ４やランプ５やホールコンピュータ６に出力する。
【００３４】
図１２及び図１３にそれぞれ示した不正対策装置によっても、「穴開けゴト」が行われたことを簡単な構成によって容易に検出可能になる。
【図面の簡単な説明】
【００３５】
【図１】本発明の一実施形態に係る不正対策装置のブロック図である。
【図２】同不正対策装置が組み込まれるパチンコ遊技機の概略正面図である。
【図３】同パチンコ遊技機の上皿の概略平面図である。
【図４】同不正対策装置における電極シートの構成図である。
【図５】同不正対策装置における通電監視手段の処理内容を表したフローチャートである。
【図６】変形例に係る電極シートの構成図である。
【図７】他の変形例に係る電極シートの構成図である。
【図８】電極シートの断面図である。
【図９】不正対策装置が組み込まれるスロットマシンの概略正面図である。
【図１０】同スロットマシンの前面扉部の側面図である。
【図１１】同前面扉部の図９図示A-A切断線による要部断面構成図である。
【図１２】変形例に係る不正対策装置の構成図である。
【図１３】他の変形例に係る不正対策装置の構成図である。
【符号の説明】
【００３６】
１    電極シート
１１    配線
１２、１３    絶縁体
２    通電手段
３    通電監視手段
４    スピーカ
５    ランプ、発光ダイオード
６    ホールコンピュータ
１００    パチンコ遊技機（遊技機）
１０１    前面枠（前面部）
２００    スロットマシン（遊技機）
２０１    前面扉部（前面部）
【図１】
2007319464.tif 000003
【図２】
2007319464.tif 000004
【図３】
2007319464.tif 000005
【図４】
2007319464.tif 000006
【図５】
2007319464.tif 000007
【図６】
2007319464.tif 000008
【図７】
2007319464.tif 000009
【図８】
2007319464.tif 000010
【図９】
2007319464.tif 000011
【図１０】
2007319464.tif 000012
【図１１】
2007319464.tif 000013
【図１２】
2007319464.tif 000014
【図１３】
2007319464.tif 000015